(57)【特許請求の範囲】
【請求項１】
めくりモータにより回転されるめくりローラの回転軸上に従動ローラを設けるとともに、支軸に揺動自在に支持されたアームの自由端に前記従動ローラに対向する送りローラを設け、前記アームと前記支軸の間に前記送りローラを前記従動ローラに接近させる方向に前記アームを付勢する付勢手段を備え、前記アームに前記めくりローラに対向する通帳押付け部材を設け、前記支軸を所定方向に回転させる押し上げモータを備えてなり、通帳搬送時は、前記押し上げモータが第一の所定回転角度まで回転されて、前記支軸、付勢手段及びアームを介して前記送りローラが前記従動ローラとの間の通帳に搬送力を与える強さで前記従動ローラに押圧され、頁めくり動作時は、前記押し上げモータが第二の所定回転角度まで回転されて、前記支軸、付勢手段及びアームを介して前記送りローラが前記従動ローラから離間され、又は前記送りローラの前記従動ローラに対する押圧力が弱められ、かつ、前記通帳押付け部材が前記通帳を回転される前記めくりローラのめくり部材に押付けることを特徴とする頁めくり装置。
【請求項２】
請求項１の頁めくり装置において、搬送モータの回転力を送りローラに与える伝動手段は、搬送モータの回転力を与えられる第一の歯車と、前記アームの支軸上に回転自在に備えられ、前記第一の歯車に噛合されている第二の歯車と、前記アームの送りローラが固着されている回転軸上に固着され、前記第二の歯車に噛合されている第三の歯車からなることを特徴とする頁めくり装置。
【請求項３】
請求項１又は請求項２の頁めくり装置において、前記めくりローラから遠い側に設けられた第一の支点を中心に回動自在に支持され、かつ、一方向に回動された時は前記めくりローラに隣接する搬送ローラとの間の搬送面を上方に開放し、他方向に回動された時は前記搬送面を遮蔽するガイドを設けるとともに、前記ガイドの長手方向端部に形成された水平部分と傾斜部分とからなるほぼヘ字形のカム溝と、第二の支点を中心に回動自在に支持され、前記カム溝に摺動自在に嵌合されたコロを有するリンクと、前記押し上げモータにより回転されるカムと、前記リンクに前記第二の支点から離れた位置に設けられ、前記カムに当接されているカムフォロワとからなるガイド開閉機構を有し、頁めくり動作時に前記押し上げモータが第１の所定角度まで回転される際は、前記アームの回動と連動して前記カム及びカムフォロワを介して前記リンクが回動されるに連れて前記コロが前記カム溝の水平部分に沿って摺動して前記ガイドが所要角度の開放位置まで回動されるとともに、前記コロは前記カム溝の傾斜部分に臨み、めくり動作終了時に前記押し上げモータが第２の所定角度まで回転される際は前記アームの回動と連動して前記リンクが初期位置に復帰されるとともに、前記コロが前記カム溝の水平部分の終端に向けて移動して開放位置にある前記ガイドが遮蔽位置に回動復帰されることを特徴とする頁めくり装置。
【請求項４】
請求項３の頁めくり装置において、前記ガイドはめくりローラの前後に一対設けられ、水平部分と傾斜部分からなるほぼへ字形のカム溝は各ガイドの長手方向端部に設けられ、ガイドのカム溝に摺動自在に嵌合されたコロを一端部に有し、かつ支点から離れた位置にカムフォロワを有するリンクは、各ガイドに対応して備えられるとともに、互いに連動して回動するように連結部材により連結され、前記少なくとも一方のリンクを前記各カムフォロワが前記カムの周面に常に接触される方向に付勢する第二の付勢手段が設けられており、めくり動作時に前記押し上げモータが第１の所定角度まで回転される際は、前記アームの回動と連動して前記カム及びカムフォロワを介して前記一対のリンクが第二の付勢手段に抗して回動されるに連れて、前記コロの前記カム溝内の摺動により前記一対のガイドが所要角度まで同時に開放され、めくり動作終了時に前記押し上げモータが第２の所定角度まで回転された時は、前記アームの回動と連動して前記両リンクが第二の付勢手段により当初位置まで逆方向に回動されて、前記ガイドが同時に遮蔽位置に復帰されることを特徴とする頁めくり装置。
【発明の詳細な説明】
【０００１】
【発明の属する技術分野】
本発明は、ＡＴＭ（自動預け払い機）、記帳機などのデータ処理装置において通帳に対して取引データを記録する際に頁めくりを行うための頁めくり装置、中でも、搬送ローラの軸上にめくりローラを設けた構成の頁めくり装置、すなわち、搬送ローラと共通の軸上に設けためくりローラを回転させて、そのめくりローラに接触している頁を膨らませ、かつ、めくりローラの上側に跳ね上げさせた後、搬送ローラにより通帳をその綴じ目がめくりローラの下側を通過する方向に搬送することにより、頁めくりが完了するようにした頁めくり装置に関する。
本明細書においては、通帳の用語は綴じ目を有する通帳を意味するが、通帳以外の媒体（冊子）をも含めて用いる。
【０００２】
【従来の技術】
図１２は、特開2000-127653 号公報に開示された、搬送ローラの軸上にめくりローラを設けた構成の頁めくり装置の正めくり動作の過程を示す説明図である。図１３は送りローラとめくりローラ、搬送ローラ駆動系統とめくりローラ駆動系統、押えローラ昇降機構とめくりローラ押え機構の配置関係を示す概念図、図１４は図１２のＹ−Ｙ線に沿った一部省略断面図である。
【０００３】
図１２，１３において、ｆｒ１，ｆｒ２，ｆｒ３とｐｒ１，ｐｒ２，ｐｒ３は、通帳Ｎを搬送するための搬送ローラＣＲ１，ＣＲ２，ＣＲ３を構成する送りローラと押えローラである。送りローラｆｒ１，ｆｒ２，ｆｒ３は、搬送面の上側に配置されて、搬送モータＭ１からベルト等の伝動部材１０１及びテンションプーリ１０２を介して回転力を与えられるように、搬送ローラ駆動系統が構成されている。また、押えローラｐｒ１，ｐｒ２，ｐｒ３は、搬送面の下側に各送りローラに対向して配置され、支点１０３に揺動自在に取付けられたアーム１０４の先端に支軸１０５が支持され、そのアームの他端部に備えられたバネ１０６により常時送りローラ方向に付勢されている。
【０００４】
一つの送りローラｆｒ２を固着した回転軸１０７上に回転自在に嵌装されたスリーブ１０８にめくりローラｔｒが固着され、そのスリーブ１０８の外周に固着された第１プーリ１０９ともう一つの回転軸１１０上に固着した第２プーリ１１１との間に第１伝動ベルト１１２を巻回し、回転軸１１０上に固着した第３プーリ１１３とめくりモータＭ２の回転軸に固着された第４プーリ１１４との間に第２伝動ベルト１１５を巻回して、めくりモータＭ２の回転力をめくりローラｔｒに与えるように、めくりローラ駆動系統が構成されている。
【０００５】
さらに、めくりローラｔｒが設けられた送りローラｆｒ２に対応する押えローラｐｒ２は、アーム１０４にソレノイド１１６のプランジャを枢着することにより、押えローラ昇降機構が構成され、加えて、めくりローラｔｒの下方の搬送面よりも下側にめくり動作が行われる間、通帳をめくりローラｔｒの方向に押付ける押付け部材１１７が備えられ、その押付け部材をカムと揺動レバーの組み合わせ、その他の押付け部材昇降機構が設けられている。
【０００６】
上記のような頁めくり装置は、送りローラｆｒ２が固着された１本の回転軸にめくりモータＭ２により送りローラｆｒ２から独立して回転されるめくりローラｔｒを設け、その同じめくりローラを正転又は逆転することにより、正めくり（頁数が増える方向のめくり）も逆めくり（頁数が減る方向のめくり）もできるため、一つの送りローラに関して通帳吸引方向と通帳排出方向に隣接する２組の送りローラの間に、それぞれ正めくりローラと逆めくりローラを配置する旧来の頁めくり装置に比し、通帳処理装置の頁めくりのための通帳搬送路の延長量を最小限に抑えることができるとともに、めくりモータＭ２からめくりローラｔｒまでの動力伝達機構の構成が単純化される利点があること評価されている。
【０００７】
【発明が解決しようとする課題】
しかしながら、搬送ローラの軸上にめくりローラを設けた頁めくり装置においては、頁めくり動作を行う時は、送りローラｆｒ２の回転を止めるとともに、押えローラｐｒ２はめくりローラｔｒによる通帳の最上位頁の移動を妨げないように送りローラから離間させ、かつ、めくりローラから最上位頁にめくり力が確実に加わるようにするため、通帳を搬送面の下側からめくりローラ方向に押付ける押付けローラその他の押付け部材１１７が設けられ、また、最上位頁を跳ね上げさせた後、その通帳を搬送する時は、押付け部材１１７を通帳の搬送を妨げないように下方に移動させるとともに、押えローラｐｒ２を送りローラｆｒ２方向に近接させる必要がある。
【０００８】
換言すると、通帳搬送機構のほかに、押えローラｐｒ２を送りローラｆｒ２に対して昇降させる機構と、押付け部材１１７をめくりローラｔｒに対して昇降させる機構とを備え、しかも、押えローラ昇降機構と押付け部材昇降機構は互いに反対方向の動作、すなわち、一方が上昇動作をする時は他方が下降動作を、一方が下降動作をする時は他方が上昇動作をさせる必要があった。従って、構成が複雑で部品組み立てが容易でなく、また、各機構の制御ソフトウェアの設計も複雑困難であった。
【０００９】
さらに、搬送ローラと共通の軸上にめくりローラを設けた構造の頁めくり装置においては、めくりローラと同軸上に設けられている送りローラと隣接する送りローラとの間の間隙を、めくりローラがめくり動作をする時はめくりローラに接触する最上位頁の膨らみ・跳ね上げを可能にするため開放し、めくりローラがめくり動作をしない時は通帳の搬送を円滑にするため遮蔽するガイド１１８が設けられる。このガイドは、めくり動作をする時は間隙開放位置に、めくり動作をしない時は間隙遮蔽位置に移動される必要があるが、従来は、例えばカムとレバーとリンク等の組み合わせからなる連動機構によりめくりローラ押付け部材１１７と連動するように取付けられていたので、その構成が複雑であるため、取付けが容易でなく、保守点検にも手間が掛かるという問題があった。
【００１０】
本発明は、上記の点に鑑みてなされたものであり、頁めくり装置の構成及び制御を簡素化することを第一の課題としている。
本発明の第二の課題は、頁めくり装置のガイド及びガイド開閉機構の構成を簡素化することにある。
【００１１】
【課題を解決するための手段】
第一の課題を解決するため、請求項１の発明に係る頁めくり装置は、めくりモータにより回転されるめくりローラの回転軸上に従動ローラを設けるとともに、支軸に揺動自在に支持されたアームの自由端に前記従動ローラに対向する送りローラを設け、前記アームと前記支軸の間に前記送りローラを前記従動ローラに接近させる方向に前記アームを付勢する付勢手段を備え、前記アームに前記めくりローラに対向する通帳押付け部材を設け、前記支軸を所定方向に回転させる押上モータを備えてなり、通帳搬送時は、前記押上モータが第一の所定回転角度まで回転されて、前記支軸、付勢手段及びアームを介して前記送りローラが前記従動ローラとの間の通帳に搬送力を与える強さで前記従動ローラに押圧され、頁めくり動作時は、前記押上モータが第二の所定回転角度まで回転されて、前記支軸、付勢手段及びアームを介して前記送りローラが前記従動ローラから離間され、又は前記送りローラの前記従動ローラに対する押圧力が弱められ、かつ、前記通帳押付け部材が前記通帳を回転される前記めくりローラのめくり部材に押付けることを特徴としている。
上記構成により、めくりモータによりめくりローラがホームポジションに保持されている状態では、めくり部材は搬送面から離れた位置にある。また、ホームポジションにある支軸が押し上げモータにより所定角度まで回転されると、第一の付勢手段及びアームを介して送りローラが従動ローラ方向に付勢される。押し上げモータの回転量制御により、すなわち支軸の回転量の設定により、送りローラの従動ローラに対する押圧力及び押付け部材の通帳に対する押圧力が調節可能である。
従って、めくり動作を行う時と通帳搬送動作を行う時とで、押し上げモータの異なった回転量制御が行われる。また、アームを第一の付勢手段により付勢してあるので、めくり動作時又は通帳搬送時のいずれにおいても、頁数や腰の強さなどが異なる各種の通帳に対応することができる。しかも、送りローラ及び押付け部材の押圧力は、通帳の違いに対して部材による対応ではなく、ソフトウェアの設定値のみで対応が可能である。
【００１２】
請求項２の発明は、請求項１の発明において、搬送モータの回転力を送りローラに与える伝動手段を、搬送モータの回転力を与えられる第一の歯車と、前記アームの支軸上に回転自在に備えられ、前記第一の歯車に噛合されている第二の歯車と、前記アームの送りローラが固着されている回転軸上に固着され、前記第二の歯車に噛合されている第三の歯車とで構成したことを特徴としている。
上記構成により、回動されるアームに送りローラを取付けることにより、送りローラが搬送される通帳の厚さや腰の強さに応じて柔軟に移動する際にアームが揺動しても、搬送モータからの動力伝達を確実に確実に行うことができる。
【００１３】
上記第二の課題を解決するため、請求項３の発明は、請求項１又は２の頁めくり装置において、前記めくりローラから遠い側に設けられた第一の支点を中心に回動自在に支持され、かつ、一方向に回動された時は前記めくりローラに隣接する搬送ローラとの間の搬送面を上方に開放し、他方向に回動された時は前記搬送面を遮蔽するガイドを設けるとともに、前記ガイドの長手方向端部に形成された水平部分と傾斜部分とからなるほぼヘ字形のカム溝と、第二の支点を中心に回動自在に支持され、前記カム溝に摺動自在に嵌合されたコロを有するリンクと、前記押し上げモータにより回転されるカムと、前記リンクに前記第二の支点から離れた位置に設けられ、前記カムに当接されているカムフォロワとからなるガイド開閉機構を有し、頁めくり動作時に前記押し上げモータが第１の所定角度まで回転される際は、前記アームの回動と連動して前記カム及びカムフォロワを介して前記リンクが回動されるに連れて前記コロが前記カム溝の水平部分に沿って摺動して前記ガイドが開放位置まで回動されるとともに、前記コロは前記カム溝の傾斜部分に臨み、めくり動作終了時に前記押し上げモータが第２の所定角度まで回転される際は前記アームの回動と連動して前記リンクが初期位置に復帰されるとともに、前記コロが前記カム溝の水平部分の終端に向けて移動して開放位置にある前記ガイドが遮蔽位置に回動復帰されることを特徴としている。
上記構成により、押し上げモータが第２の所定角度まで回転された時は、支軸及び第一の付勢手段によりアームが回動され、上昇位置に保持されて送りローラは最も大きい押圧力で従動ローラを弾力的に押圧する。また、カム及びカムフォロワを介してリンクが回動され、コロはカム溝の水平部分に嵌合されているため、ガイドは搬送面を遮蔽する位置に保持される。従って、通帳は円滑に搬送されることができる。
押し上げモータが第１の所定角度まで回転されると、支軸と第一の付勢手段を介してアームが回動され、送りローラは従動ローラから離間されるか、又は従動ローラに対する押圧力が弱められる。また、カム及びカムフォロワを介してリンクが回動してコロはカム溝の水平部分から傾斜部分に臨む位置まで移動するので、その間にガイドは搬送面を上方に開放し、かつ、通帳のめくられる頁を押えつつ、その頁から力を受けると、さらに上方に開く。従って、膨らんだ頁はめくり部材から離脱することなく、確実にめくりローラの上方に跳ね上がる。押し上げモータが第２の所定角度まで転されると、カム及びカムフォロワを介してリンクは当初の位置に回動され、ガイドは再び遮蔽位置に復帰される。
【００１４】
請求項４の発明は、請求項３の頁めくり装置において、前記ガイドはめくりローラの前後に一対設けられ、水平部分と傾斜部分からなるほぼへ字形のカム溝は各ガイドの長手方向端部に設けられ、ガイドのカム溝に摺動自在に嵌合されたコロを一端部に有し、かつ支点から離れた位置にカムフォロワを有するリンクは、各ガイドに対応して備えられるとともに、互いに連動して回動するように連結部材により連結され、前記少なくとも一方のリンクを前記各カムフォロワが前記カムの周面に常に接触される方向に付勢する第二の付勢手段が設けられており、めくり動作時に前記押し上げモータが第１の所定角度まで回転される際は、前記アームの回動と連動して前記カム及びカムフォロワを介して前記一対のリンクが第二の付勢手段に抗して回動されるに連れて、前記コロの前記カム溝内の摺動により前記一対のガイドが所要角度まで同時に開放され、めくり動作終了時に前記押し上げモータが第２の所定角度まで回転された時は、前記アームの回動と連動して前記両リンクが第二の付勢手段により当初位置まで逆方向に回動されて、前記ガイドが同時に遮蔽位置に復帰されることを特徴としている。
上記構成により、通帳搬送時は、押し上げモータは第２の所定角度まで回転されて保持されており、アームは上昇位置に保持されて送りローラが従動ローラを第一の付勢手段により弾力的に押圧している。また、カム及びカムフォロワを介して一対のリンクは第二の付勢手段により一方向に付勢されて保持されるため、各リンクのコロはカム溝の水平部分に嵌合されて、両ガイドは遮蔽位置に保持される。
めくり動作時は押し上げモータが第１の所定角度まで回転され、アームが下降位置まで回動されて、送りローラは従動ローラから離間され、又は送りローラの従動ローラに対する押圧力が弱められ、かつ、押付け部材は所定位置に保持される。また、カム及びカムフォロワを介して一対のリンクが回動され、各コロはカム溝の水平部分から傾斜部分に臨む位置まで移動し、その間に両ガイドは開放位置に回動される。従って、めくり領域に対応する一方のカイドは通帳のめくられる頁を押えつつ、その頁から力を受けると、さらに上方に開く。従って、膨らんだ頁はめくり部材から離脱することなく確実にめくりローラの上方に跳ね上がる。押し上げモータが第２の所定角度まで回転されると、一対のリンクは第二の付勢手段により当初の位置に復帰されるので、両ガイドは同時に遮蔽位置に復帰する。
【００１５】
【発明の実施の形態】
次に、本発明の実施の形態について、図１ないし図１１の図面に基づいて説明する。
図１は請求項１の発明の一実施形態の要部を抽出して示す側面図であり、図２は同じく平面図、図３は図１の要部を図１の左側から見た一部破断背面図、図４は図３の底面図、図５はアームの昇降機構の作用説明図である。
図６ないし図８はガイド開閉機構の一例を示す側面図であって、図６はガイドが遮蔽位置に存在する時の状態を示し、図７は同じくガイドが開放位置に移動された時の状態を示し、図８はガイドの最大開放状態を示す。
図９は頁めくり動作とガイドの開閉動作の関係を示す説明図、図１０は本発明の実施の形態による正めくり動作を行う場合の動作フロー図、図１１は同じく正めくり動作時のタイムチャートである。
【００１６】
本発明による頁めくり装置においては、頁めくり動作に関わる搬送ローラＣＲ２以外の搬送ローラＣＲ１，ＣＲ３は、従来と同様に、すなわち、図１３の左右両側の搬送ローラと同様に、送りローラｆｒ１，ｆｒ３が定位置に設けられた回転軸に固着され、各送りローラに対設される押えローラｐｒ１，ｐｒ３は、それぞれ揺動自在のアーム１に回転自在に支持され、バネ２などを介して送りローラｆｒ１，ｆｒ３方向に常に付勢されている。
なお、図２には、押えローラｐｒ１を送りローラｆｒ１に付勢する付勢手段として、支持部材１０３´により支持されたトーションバー１０６´により押えローラｐｒ１の支軸１０５を押下するように構成した例が示されている。
【００１７】
これに対して、頁めくり動作に関わる搬送ローラＣＲ２は、従動ローラｄｒと送りローラｆｒで構成されていて、一方の従動ローラｄｒはフレーム３ａ，３ｂの定位置に設けられた回転軸４上にＥリング等の位置決め部材５を介して回転自在に支持されている。そして、回転軸４には、単数又は複数のめくりローラｔｒが固着されている。めくりローラｔｒは従動ローラｄｒよりも径が僅かに小さなローラの外周に摩擦係数の大きい材料で作られた、従動ローラｄｒよりも高く突出するめくり部材６を設けてなるものである。めくりローラｔｒの回転軸４には、プーリ７、ベルト８、プーリ９などの伝動手段を介してめくりモータＭ２から回転力が与えられるようになっている。
【００１８】
めくりローラｔｒの回転角度を制御するため、一例として、回転軸４にスリット板１０が固着され、フレーム３ｂにそのスリット板のスリットを検出するためのセンサ１１が取付けられている。センサ１１の出力信号は制御部にめくりモータＭ２の回転角度制御のために与えられる。回転角度の検出手段及びめくりモータＭ２の制御方法には、周知の方法が用いられているので、詳細な説明は省略する。
【００１９】
他方、送りローラｆｒは、フレーム３ａ，３ｂの定位置に支軸１２を介して回転自在に支持されたアーム１３の端部においてそのアームを横方向に貫通する回転軸１４に、各従動ローラｄｒに対応する位置において固着されている。回転軸１４の一端部にはアームの外側において第１歯車ｇ１が固着され、その第１歯車ｇ１は一方のフレーム３ａ（又は３ｂ）の外側において支軸１２の端部に回転自在に支持された第２歯車ｇ２と噛合されている。第２歯車ｇ２にはフレーム３ａ，３ｂに支持された支軸１５に固着された第３歯車ｇ３が噛合されている。支軸１５に固着されたプーリ１６と搬送モータＭ１の回転軸に固着されたプーリ１７との間に伝動ベルト１８が巻回されている。こうして、上記相互に噛合する歯車ｇ３，ｇ２，ｇ１により搬送モータＭ１の回転力を送りローラｆｒに伝達する伝動手段の一部が構成されている。
【００２０】
搬送モータＭ１の回転力を送りローラｆｒに伝達する伝動手段を上記のように常に噛合する歯車ｇ３，ｇ２，ｇ１で構成した場合は、アーム１３が支軸１２回りに回動されてどのような角度状態にあっても、送りローラｆｒには搬送モータＭ１から搬送力が確実に与えられる利点がある。
【００２１】
支軸１２にはブラケット１９が固着されており、そのブラケットの先端とアーム１３の送りローラｆｒから遠い側の端部との間に第一の付勢手段であるコイルバネ２０を張設することにより、アーム１３は図１において支軸１２を中心として時計方向に、すなわち、送りローラｆｒを従動ローラｄｒに接近させる方向にに常に付勢されている。
【００２２】
アーム１３にはまた、各めくりローラｔｒに対応する位置に、送りローラｆｒの径よりもわずかに小さい径の円弧に沿って延びる押付け部材１３ａが設けられている。押付け部材１３ａは、後述されるように、めくり動作時にめくりローラｔｒが回転される際にめくり部材６が搬送面に接近した時、通帳をそのめくり部材に押し付けるためのものである。図示の例では、押付け部材１３ａは、アーム１３と一体に成形されているが、これに代えて、別体に形成したものをアームに一体的に結合しても良い。
【００２３】
通帳を搬送する時は、アーム１３を所定方向、図１においては時計方向に所定角度回動し、送りローラｆｒを従動ローラｄｒに適度の圧力で押圧させる必要があり、また、所定のめくり位置まで搬送され停止された通帳に対してめくりモータＭ２によりめくりローラｔｒを回転させて頁めくり動作をする間は、めくりローラによる通帳の最上位頁の移動を容易にするため送りローラｆｒを従動ローラｄｒから離間させ（又は送りローラと従動ローラによる通帳挟持力を弱め）、かつ、めくりローラｔｒの回転によりめくり部材６が搬送面に接近した時に通帳を押付け部材１３ａに向けて適度の圧力で押し上げて通帳の最上位頁に十分なめくり力が加わることができる位置まで、アーム１３を所定方向、図１においては時計方向に所定角度回動させることが望ましい。そこで、本発明の実施の形態では、アーム１３を所定角度回動させる機構、すなわち、アーム昇降機構が設けられている。
【００２４】
アーム昇降機構は、次のように構成されている。ブラケット１９の端部に一方のフレーム３ｂに向かって水平方向に伸びる被検知部材２１が設けられ、アーム１３が初期位置（ホームポジション）に存在する時に被検知部材２１を検知するセンサ２２がフレーム３ｂに取付けられている。すなわち、被検知部材２１とセンサ２２によりアームのホームポジションを検出する手段が構成されている。図示の例では、送りローラｆｒが図１に示すように従動ローラｄｒから離間されている時のアーム１３の位置がホームポジションとされている。
【００２５】
上記アーム昇降機構は、また、押し上げモータＭ３から支軸１２に回転力が与えられるように構成されている。さらに詳述すると、支軸１２に一例としてフレーム３ｂの外側において歯車ｇ４が固着され、この歯車ｇ４と、この歯車に順次噛合する複数の歯車ｇ５，ｇ６とからなる減速部が構成され、減速部の終端の歯車ｇ６にフレーム３ｂに取付けられた押し上げモータＭ３の回転軸２３からプーリ２４ａ、ベルト２４ｂ、プーリ２４ｃ等の伝動手段２４を介して回転力を与えられる回転軸２５上に固着された歯車ｇ７が噛合されて、押し上げモータＭ３から支軸１２に回転力が与えられるようになっている。
【００２６】
そして、押し上げモータＭ３が図示を省略した制御部から所定数の駆動パルスが与えられて回転すると、減速部ｇ４〜ｇ７を介して支軸１２が所定角度回動される。
【００２７】
上記アーム昇降機構の作用を図５を用いて説明する。
アーム回動モータＭ３がホームポジションにある場合は、支軸１２及びブラケット１９は、同図（ａ）に示す角度に保持されて、コイルバネ２０に支持されている。アーム１３は図５（ａ）に示すようにほぼ水平状態にあり、送りローラｆｒは従動ローラｄｒから離間されている。
【００２８】
図１及び図５（ａ）において支軸１２に時計方向に回転力を与えられると、図５（ｂ）及び（ｃ）に示すように、ブラケット１９及びコイルバネ２０を介してアーム１３が回動されて、送りローラｆｒが従動ローラｄｒに接近され、押圧される。この場合のアームの回動角度及び送りローラｆｒの従動ローラｄｒに対する押圧力は、支軸１２の回転角度によって決定される。
【００２９】
通帳搬送時は前記押圧力が最も大きく、めくり動作時は前記押圧力は小さいことが必要である。そこで、支軸１２を回転させる押し上げモータＭ３の回転角度は、通帳搬送時は、ホームポジションからの回転角度が大きい第１の所定角度に設定され、めくり動作時はホームポジションからの回転角度が搬送時よりも小さい第２の所定角度に設定されている。
【００３０】
図５（ａ）の状態において支軸１２が時計方向に第２の所定角度まで回転された時は、コイルバネ２０で付勢されているアーム１３が追従して回転する。同図（ｂ）は送りローラｆｒが丁度従動ローラｄｒに接触した状態を示している。コイルバネ２０によりローラｔｒ，ｆｒ間には多少のニップ力が働くが、ここに通帳が搬送されてくると、送りローラｆｒを介してアーム１３が反時計方向に逃げる。
【００３１】
支軸１２が図５（ｂ）の状態からさらに所定角度まで回転されると、同図（ｃ）に示すようにアーム１３はそのままの位置に保持されるが、ブラケット１９が回転してコイルバネ２０が延びる結果、ローラｆｒ，ｔｒ間のニップ力が大きくなる。
【００３２】
このように、上記アーム昇降機構は、押し上げモータＭ３の回転角度の量により、めくり時の通帳押し上げ力及び搬送時のニップ力を任意に設定することができる。そして、通帳の紙質や頁数等の違いに対して部材により対応するのではなく、押し上げモータＭ３を制御するソフトウェアの設定のみによって対応することができる。
【００３３】
図４及び図５に示すように、回転軸２５にはカム２６が固着されている。フレーム３ｂに関してカム２６と同一側において、図５に示すように、送りローラｆｒとその前後の送りローラｆｒ１，ｆｒ３の中間に設けられた支点２７ａ，２７ｂにより一対のリンク２８ａ，２８ｂが揺動自在に支持されている。各リンクは上方端部に回転自在のコロ２９ａ，２９ｂを有し、また、互いに対向する突出部３０ａ，３０ｂの一方に設けられた軸３１を他方に形成された長孔３２に挿通させて、一方のリンク２８ａが揺動されると他方のリンク２８ｂがこれに連動して揺動されるように連携されている。
【００３４】
一方のリンク２８ａには、支点７ａから離れた位置にカムフォロワ３３が設けてあり、そのカムフォロワはフレーム３ａ又は３ｂと一対のリンクのいずれか一方２８ｂの間に張設された第二の付勢手段であるコイルバネ３４により常にカム２６の周面に接触するように付勢されている。
【００３５】
また、図６に示すように、めくりローラｔｒの前後には、めくりローラから遠い側において搬送面の上方に設けられた支軸３５ａ，３５ｂにより既知のガイド３６ａ，３６ｂが回動自在に支持されている。このガイドは、図６に示すように搬送面上方を遮蔽する位置に水平状態で維持された時は、めくりローラｔｒとその前後の押えローラｐｒ１，ｐｒ３との間の搬送面の上側において、搬送される通帳を円滑に案内し、図７に示すように上方に回動されてめくりローラｔｒの前後付近の搬送面を上方に開放する時は、通帳のめくりローラｔｒからめくり力を与えられる再上位頁の膨らみ及び跳ね上がりを許容するものである。
【００３６】
各ガイド３６ａ，３６ｂの幅方向の少なくとも一端部にカム溝３７ａ，３７ｂが形成されていて、そのカム溝に前記コロ２９ａ，２９ｂが摺動自在に嵌合されている。カム溝３７ａ，３７ｂはいずれも水平部分と傾斜部分とを有してほぼヘ字形に形成されていて、左右のガイドとカム溝は左右対称形を成している。
このため、押し上げモータＭ３が図６において反時計方向に回転される時は、カム２６及びカムフォロワ３３によりリンク２８ａは反時計方向に、リンク２８ｂは時計方向にそれぞれ回動するため、図７に示すようにコロ２９ａ，２９ｂがカム溝３７ａ，３７ｂの水平部分の端部からそれぞれカム溝の中間部方向に移動し、これに伴い各ガイド３６ａ，３６ｂは支点３５ａ，３５ｂを中心に回動されて、図７に示すようにガイド３６ａ，３６ｂは同時に開放される。この時、図７に示すようにコロ２９ａ，２９ｂはカム溝３７ａ，３７ｂの今は支点３５ａ，３５ｂを中心とする円弧上に存在する傾斜部分の上端部に位置される。従って、ガイド３６ａ，３６ｂは自由になり、後述されるようにめくりローラｔｒによるめくり動作の際にめくり部材６により膨らまされる頁に対して適度の荷重を加えて、その頁の先端がめくり部材６からの早すぎる離脱を防止できるようになっている。また、その頁がめくり部材から引続き与えられるめくり力により膨らむに連れて、ガイド３６ａ，３６ｂはめくられる頁の腰の強さに応じて図８に示す最大角度まで開放することができる。
【００３７】
めくり動作の完了に伴い、カム２６が図８に示された回転角度の状態において押し上げモータＭ３が時計方向に所定角度まで回転された時は、カムフォロワ３３はカム２６の谷部に対応するため、コイルバネ３４の引っ張り力により一対のリンク２８ａ，２８ｂ及びガイド３６ａ，３６ｂは図７の状態を経て図６に示す状態に戻る。そして、コロ２９ａ，２９ｂはカム溝３７ａ，３７ｂの水平部分の端部に嵌合した状態に保持される。従って、搬送される通帳からガイド３６ａ，３６ｂに上向きの力が加わることがあっても、ガイド３６ａ，３６ｂは遮蔽位置に保持されるので、通帳は安定して搬送されることができる。
【００３８】
上記カム２６、カムフォロワ３３、一対のリンク２８ａ，２８ｂ、各コロ２９ａ，２９ｂ、第二の付勢手段３４、及びカム溝３７ａ，３７ｂは、めくり動作時には上記ガイドを所定角度まで開放させ、めくり動作終了時には同ガイドを初期の位置まで遮蔽させるガイド開閉機構の一例を構成している。
【００３９】
上記搬送ローラＣＲ１，ＣＲ２，ＣＲ３による通帳Ｎの搬送動作、アーム昇降機構による送りローラｆｒ及び押付け部材１３ａ並びにガイド３６ａ，３６ｂの昇降動作、及びめくりローラｔｒによる頁めくり動作の各過程は、図９に示す通りとなる。同図において（ａ）は通帳吸入動作、（ｂ）はめくり動作（膨らませ及び跳ね上げ）、（ｃ）はめくり完了動作（搬送・反転）である。
【００４０】
この頁めくり装置は、通帳の搬送方向及び停止位置、並びにめくりローラの回転方向の制御により、通帳の中紙の正めくりと逆めくりの両方を行うことができる。正めくり動作の場合の動作フローとタイムチャートの一例を図１０及び図１１に示して、詳細な説明を割愛する。図１１の▲１▼〜▲９▼のタイミングは図１０の▲１▼〜▲９▼のそれぞれに対応する。また、逆めくり動作態様は、正めくり動作とほぼ対称的であり、図１０及び図１１から類推可能であるので、図示及び説明を省略する。
【００４１】
上述した実施の形態におけるガイド開閉機構は、連動するリンクを介して両ガイドを同時に開閉させるように構成されているので、その構造及び制御が非常に簡素化される利点がある。
しかし、本発明は、上記ガイドの同時開閉に限らず、めくりローラｔｒによる正めくり動作と逆めくり動作に対応して、二つのガイド３６ａ，３６ｂをそれぞれ片側ずつ開閉されるように構成することもできる。その場合は、軸２５に二つのカム２６を備えるとともに、独立のリンク２８ａ，２８ｂに備えたカムフォロワ３３をそれぞれのカム２６に当接させれば良い。
【００４２】
【発明の効果】
上述のように、請求項１の発明によれば、頁めくり装置を、めくりローラと、そのめくりローラの回転軸上に回転自在に備えられた従動ローラと、前記回転軸をめくり動作の際に所定方向に所定角度回転させるためのめくりモータと、通帳搬送面に関してめくりローラ及び従動ローラと反対側に支軸を中心として回動自在に備えられたアームと、そのアームに前記従動ローラに対向する位置に設けられ、搬送モータの回転力を与えられる送りローラと、前記アームに前記めくりローラに対向する位置において設けられ、前記搬送面上の通帳を前記めくりローラに押付けるための押付け部材と、前記アームを前記支軸に対して前記送りローラを前記従動ローラに接近させる方向に常に付勢する第一の付勢手段と、前記アームの支軸に所定角度の回転力を加えて回動させる押し上げモータとを有する構成としたので、頁めくり装置の構成及び制御を簡素化することができる。
【００４３】
請求項２の発明によれば、請求項１における搬送力伝動手段を、搬送モータの回転力を与えられる第一の歯車と、前記アームの支軸上に回転自在に備えられ、第一の歯車に噛合されている第二の歯車と、前記アームの送りローラが固着されている回転軸上に固着され、第二の歯車に噛合されている第三の歯車とで構成したので、送りローラが搬送される通帳の厚さや腰の強さに応じて柔軟に移動する際にアームが揺動しても、搬送モータからの動力伝達を確実に確実に行うことができる。
【００４４】
請求項３の発明によれば、頁めくり装置のガイド開閉機構の構成及び制御が著しく簡素化される。
【００４５】
請求項４の発明によれば、ガイド開閉機構の制御がさらに簡単になる。
【図面の簡単な説明】
【図１】請求項１の発明の一実施形態の要部を抽出して示す側面図。
【図２】同じく平面図。
【図３】図１の要部を図１の左側から見た一部破断背面図
【図４】図３の底面図。
【図５】アーム昇降機構の動作説明図。
【図６】ガイド開閉機構の構成及びガイドが遮蔽位置にある時の状態を示す側面図。
【図７】同じくガイドが開放位置に移動された時の状態を示す側面図。
【図８】ガイドの最大開放状態を示す側面図。
【図９】頁めくり動作とガイドの開閉動作の関係を示す説明図。
【図１０】本発明の実施の形態による正めくり動作を行う場合の動作フロー図。
【図１１】同動作時のタイムチャート。
【図１２】従来のめくり装置の構成及びめくり動作の過程を示す説明図。
【図１３】同じく従来装置の送りローラとめくりローラ、搬送ローラ駆動系統とめくりローラ駆動系統、押えローラ昇降機構とめくりローラ押え機構の配置関係を示す概念図。
【図１４】図１２のＹ−Ｙ線に沿った一部省略断面図である。
【符号の説明】
Ｍ１      搬送モータ
Ｍ２      めくりモータ
Ｍ３      押し上げモータ
４      回転軸
１２      支軸
１３      アーム
１４      回転軸
ｆｒ      送りローラ
ｄｒ      従動ローラ
ｔｒ      めくりローラ
６      めくり部材
２０      コイルバネ（第一の付勢手段）
２６      カム
２８ａ，２８ｂ    リンク
２９ａ，２９ｂ    コロ
３３      カムフォロワ
３４      コイルバネ（第二の付勢手段）
３７ａ，３７ｂ    カム溝
【図１】
0003809098.tif 000002
【図２】
0003809098.tif 000003
【図３】
0003809098.tif 000004
【図４】
0003809098.tif 000005
【図５】
0003809098.tif 000006
【図６】
0003809098.tif 000007
【図７】
0003809098.tif 000008
【図８】
0003809098.tif 000009
【図９】
0003809098.tif 000010
【図１０】
0003809098.tif 000011
【図１１】
0003809098.tif 000012
【図１２】
0003809098.tif 000013
【図１３】
0003809098.tif 000014
【図１４】
0003809098.tif 000015